(57)【特許請求の範囲】
【請求項１】
写真フイルム及びパトローネが装填される本体部と、
この本体部の側面に形成された係合爪に係合する係合穴がそれぞれ形成され、互いの端縁が突き合わされた状態で本体部を挟み込むように前面側と背面側とに組み付けられる前カバー及び後カバーとを備え、
該本体部にいずれか一方のカバーを先に組み付け、この一方のカバーを固定して他方のカバーを本体部に組み付けるようにしたレンズ付きフイルムユニットにおいて、
前記本体部の側面に形成された他方のカバー用の係合爪の近傍で、該他方のカバーの取り付け方向の下流側に凸部を形成し、この凸部を受ける受け部を一方のカバーの内壁面に形成して、他方のカバーの取付時に本体部が一方のカバー側に弾性変形するのを防止したことを特徴とするレンズ付きフイルムユニット。
【発明の詳細な説明】
【０００１】
【発明の属する技術分野】
本発明は、レンズ付きフイルムユニットに関し、更に詳しくは、組立て適正を向上させるレンズ付きフイルムユニットの改良に関するものである。
【０００２】
【従来の技術】
簡単な撮影機構を備え、予め未露光の写真フイルムとパトローネとが装填されたレンズ付きフイルムユニットが各種販売されている。レンズ付きフイルムユニットは、写真フイルム及びパトローネが装填されるとともに撮影機構が組み付けられる本体部と、この本体部を挟み込むようにして前面側及び背面側から組み付けられる前カバー及び後カバーとから構成されている。また、従来はレンズ付きフイルムユニット全体を紙箱によって覆っていたが、コストダウンと小型に見せるという効果から、現在では帯状のラベルによってレンズ付きフイルムユニットの中央部分を撮影に支障がないように装飾的に覆っているものもある。
【０００３】
上記レンズ付きフイルムユニットは、例えば、本体部への撮影機構の組み付け、本体部への前カバーの組み付け、本体部への写真フイルム及びパトローネの装填、本体部への後カバーの組み付けという順序で組み立てられている。写真フイルム及びパトローネの装填時には、本体部は前面側を下方に向けた状態で、前カバーをしっかりと支持する保持台上に載置される。そして、パトローネは本体部の下面側から軸方向に、写真フイルムはロール状に巻かれて背面側からそれぞれ装填される。後カバーは、本体部に装填された写真フイルムを遮光するように、最後に本体部の背面側から組み付けられる。
【０００４】
本体部に対する各部品の組み付けは、それぞれに形成された係合爪同士、あるいは係合爪と係合穴との係合によって行われる。本体部に対する後カバーの組み付けは、本体部の両側面に形成された係合爪と、後カバーの両側面に形成された係合穴との係合によって行われる。
【０００５】
【発明が解決しようとする課題】
上記レンズ付きフイルムユニットは、小型化を図るために前カバーと後カバーとで保護される本体部の肉厚を全体的に薄くしている。また、紙箱を用いていないことから、前カバーと後カバーとの間の隙間を小さくして、異物の侵入や外観の向上を行っている。しかしながら、これらの改良によって後カバーを適正に本体部に組み付けられないという問題が発生している。これは、後カバーの組み付け時に本体部が押圧されると、本体部が歪んだり前カバー内に沈み込んだりし、本体部の側面に形成された後カバー用の係合爪と、前カバーの側面端縁との間隔が狭くなり、後カバーの係合穴が係合爪に係合する前に、後カバーの側面端縁が前カバーの側面端縁に当接してしまうのが原因となっている。
【０００６】
本発明は、上記問題点を解決するためのもので、本体部の歪みによる後カバーあるいは前カバーの組付け不良を防止することを目的とする。
【０００７】
【課題を解決するための手段】
上記問題点を解決するために、本発明のレンズ付きフイルムユニットは、本体部の側面に形成された他方のカバー用の係合爪の近傍で、該他方のカバーの取り付け方向の下流側に凸部を形成し、この凸部を受ける受け部を一方のカバーの内壁面に形成したものである。
【０００８】
【発明の実施の形態】
以下、添付した図面に従って、本発明を実施したレンズ付きフイルムユニットについて説明する。図２に示すように、レンズ付きフイルムユニット２は、予め写真フイルムが装填され各種撮影機構が組み込まれたユニット本体３と、このユニット本体３を部分的に覆うラベル４とから構成されている。
【０００９】
ユニット本体３の上面には、シャッタボタン６，カウンタ窓７が、前面にはファインダ８，撮影レンズ９等が設けられている。また、背面側からは１コマの撮影毎に回動操作される巻上げノブ１０が露呈されている。ラベル４は、裏面に接着剤が塗布された帯状の紙片であり、ユニット本体３の中央部分に巻かれるように貼付される。ラベル４には、撮影レンズ９やファインダ８，カウンタ窓７等を外部に露呈させる開口が形成されている。なお、このレンズ付きフイルムユニット２は、アドバンストフォトシステム対応のフイルムカートリッジを用いている。
【００１０】
図３に示すように、ユニット本体３は、フイルムカートリッジ１２が装填される本体部１３と、この本体部１３の前面に組み付けられる露光ユニット１４と、本体部１３を挟み込むように前面側及び背面側に組み付けられる前カバー１５及び後カバー１６とから構成されている。前カバー１５と後カバー１６とによって保護される本体部１３は、レンズ付きフイルムユニット２のコストダウンと、小型化のために、全体的に肉厚が薄くされている。
【００１１】
フイルムカートリッジ１２は、プラスチック製のカートリッジ本体１８と、このカートリッジ本体１８内に収納される写真フイルム１９とから構成されている。カートリッジ本体１８内には、写真フイルム１９の一端が係止されるスプール２０が回転自在に組み込まれており、更に特開平６−２６６０５３号公報で知られるようなフイルム送出し機構が内蔵されている。また、写真フイルム１９がカートリッジ本体１８内に出入りするフイルム出入り口（図示せず）には、外部から回動されることによりフイルム出入り口を開閉する棒状の遮光蓋２１が組み込まれている。
【００１２】
本体基部１３の中央部には、撮影レンズ９から写真フイルム１９までの間の撮影光路を遮光する遮光筒２３が設けられている。この遮光筒２３の前面側には、撮影レンズ９を透過した被写体光を写真フイルム１９まで導く開口２４が形成されており、背面側には、写真フイルム１９への露光範囲を規定するアパーチャーが形成されている。
【００１３】
遮光筒２３を挟む両側には、製造段階でカートリッジ本体１８と、ロール状に巻かれた写真フイルム１９とがそれぞれ収納される、カートリッジ室２６とフイルムロール室２７とが一体に形成されている。カートリッジ室２６及びフイルムロール室２７は、本体部１３の背面側に後カバー１６が組み付けられ、後カバー１６に一体に形成されたカートリッジ室用の底蓋２９と、フイルムロール室用の底蓋３０とが閉じられることにより適正な遮光能が得られる。なお、底蓋２９，３０は、後カバー１６に対して屈曲自在な薄肉部を介して連結されており、底蓋２９は使用後のレンズ付きフイルムユニット２からフイルムカートリッジ１２を取り出す際に開放される。
【００１４】
カートリッジ室２６の上部には、巻上げノブ１０が回転自在に組み付けられている。この巻上げノブ１０は、下面に形成された駆動軸がカートリッジ本体１８のスプール２０に係合される。そして、１コマの撮影ごとに図中反時計方向に回転操作されることにより、スプール２０で写真フイルム１９を巻き上げる。また、巻上げノブ１０は、カートリッジ室２６の上面に形成された逆止爪３２が外周に噛合されることにより、逆方向への回転が阻止されている。また、図示しないが、カートリッジ室２６の上面及び側面には、カートリッジ室２６からフイルムカートリッジ１２を取り出す際に、底蓋２９の開放に連動して遮光蓋２１を閉じる遮光蓋閉鎖機構が組み込まれている。
【００１５】
露光ユニット１４は、撮影レンズ９及びファイダレンズ３４とともに、シャッタチャージ機構，シャッタレリーズ機構，フイルム巻止め機構，フイルムカウント機構が一体に組み込まれている。そして、本体部１３の遮光筒２３の前面に爪係合によって着脱自在に組み付けられる。
【００１６】
前カバー１５は、シャッタボタン６が一体に形成されており、本体部１３の前面側に着脱自在に組み付けられる。この前カバー１５の本体部１３への組み付けは、前カバー１５の両側面にそれぞれ２個ずつ形成された係合穴３６と、本体部１３の両側面にそれぞれ２個ずつ形成された係合爪３７との係合等によって行われる。
【００１７】
後カバー１６には、本体部１３のアパーチャーの背後で写真フイルム１９の背面を支持するフイルム支持面１６ａが形成されている。この後カバー１６の本体部１３への組み付けは、後カバー１５の両側面にそれぞれ形成された係合穴３９と、本体部１３の両側面にそれぞれ形成された係合爪４０との係合等によって行われる。
【００１８】
本体部１３のカートリッジ室２６の側面で、係合爪４０の近傍の前面側には、凸部である段差部４２が形成されている。また、前カバー１５の内壁面で、段差部４２に対面する位置には、受け部４３が一体に形成されている。この段差部４２と受け部４３とは、図１に示すように、本体部１３に前カバー１５が組み付けられるとそれぞれの平面部分が当接する。
【００１９】
従来は、カートリッジ室２６の前面２６ａを前カバー１５の前面内壁の当接させていたため、本体部１３と前カバー１５との側面はコーナー部分で容易に曲がってしまい、後カバー１６の組付け不良が発生していた。しかしながら、フイルム装填後の後カバー１６の組み付け時に、本体部１３が後カバー１６に押圧されても、カートリッジ室２６の側面は段差部４２が受け部４３によって支持されているので、その際の変形量は僅かなものとなる。そして、後カバー１６用の係合爪４０と前カバー１５の側面端縁１５ａとの距離がほぼ一定に保たれるので、係合穴３９と係合爪４０とが係合する前に、後カバー１６の側面端縁１６ｂと前カバー１５の側面端縁１５ａとが当接することにより発生する後カバー１６の組付け不良が防止される。なお、段差部４２と受け部４３は、前カバー１５の側面端縁１５ａの近くに設けるほど、変形防止の効果が高くなる。
【００２０】
次に、上記実施形態の作用について説明する。レンズ付きフイルムユニット２は、本体部１３が搬送される間に各部品が取り付けられる。まず本体部１３は、背面側を下向きにして保持台上に載置されて搬送される。搬送中の本体部１３には、最初にカートリッジ室２６の上面及び前面に遮光蓋回動機構が組み付けられ、次には遮光筒２３の前面に露光ユニット１４が組み付けられる。露光ユニット１４の組付け後には、巻上げノブ１０がカートリッジ室２６の上面に組み付けられる。そして、各部品が組み付けられた本体部１３の前面側を覆うように、前カバー１５が本体部１３の前面側に、係合穴３６と係合爪３７との係合によって組み付けられる。これにより、本体部１３の段差部４２と前カバー１５の受け部４３とが当接する。
【００２１】
前カバー１５が組み付けられた本体部１３は、図１に示すように、前面側を下向きにして保持台４５上に載置される。この状態で、本体部１３の背後からカートリッジ本体１８がカートリッジ室２６に、カートリッジ本体１８から引き出された写真フイルム１９がロール状に巻かれてフイルムロール室２７に装填される。
【００２２】
フイルムカートリッジ１２の装填後には、後カバー１６が組み付けられる。この後カバー１６の組み付けの際には、後カバー１６の押圧によって本体部１３が歪む場合がある。しかしながら、本体部１３の側面に形成された段差部４２が前カバー１５の受け部４３によって支持されているので、本体部１３の側壁が大きく変形することはなく、後カバー１６用の係合爪４０と前カバー１５の側面端縁１５ａとの間隔は変化しない。そのため、後カバー１６の側面端縁１６ｂが前カバー１５の側面端縁１５ａに当接して、係合穴３９と係合爪４０とが係合されないという組み付け不良は発生しなくなる。
【００２３】
なお、上記実施形態では、カートリッジ室側にのみ段差部と受け部とを設けたが、フイルムロール室側にも段差部と受け部とを設けてもよい。また、凸部及び受け部として本体部に一体に形成された階段状の段差部を用いたが、互いに当接して本体部の変形を抑えるものならば、突起状のものやピン等を用いることができる。更に、本体部に先に後カバーを組み付けてから前カバーを組み付ける場合には、後カバーに受け部を設け、この受け部により受けられる段差部を本体部に設ける。
【００２４】
【発明の効果】
以上説明したように、本発明のレンズ付きフイルムユニットは、本体部の側面に形成された他方のカバー用の係合爪の近傍で、該他方のカバーの取り付け方向の下流側に凸部を形成し、この凸部を受ける受け部を一方のカバーの内壁面に形成したので、本体部の側壁の変形を減少させ、後カバーあるいは前カバーの本体部への組付け不良を防止することができる。
【図面の簡単な説明】
【図１】本発明のレンズ付きフイルムユニットの要部断面図である。
【図２】レンズ付きフイルムユニットの外観を示す斜視図である。
【図３】レンズ付きフイルムユニットの構成を示す分解斜視図である。
【符号の説明】
２  レンズ付きフイルムユニット
３  ユニット本体
４  ラベル
１２  フイルムカートリッジ
１３  本体部
１５  前カバー
１６  後カバー
３９  係合穴
４０  係合爪
４２  段差部
４３  受け部
【図１】
0003614983.tif 000002
【図２】
0003614983.tif 000003
【図３】
0003614983.tif 000004